(57)【要約】【課題】  バーベキューでしか味わえない野趣性や娯楽性をその場所が野外のキャンプ場などの特定の場所に限定されることなく楽しむことができるバーベキューコンロを提供することを目的とする。【解決手段】  キャリアＣに設けられた匡体２上に設けられた左右のスクリーン３、３と、これらのスクリーン３、３間に配置され、且つ、フード４０が取付けられたコンロ本体４を備えたバーベキューコンロにおいて、このコンロ本体４のフード４０に設けられた集煙部４１、この集煙部４１に一端５０が接続され、他端５１が匡体２に設けられる接続口２０に接続されるホース５、前記接続口２０の匡体内側に取付けられたブロワユニット６、及び匡体２に取り付けられたフィルタ７からなる集煙及び脱臭装置を備えている。【選択図】図１
2014054508.tif 000002
【特許請求の範囲】
【請求項１】
コンロ本体の左右のスクリーンと、これらのスクリーンと共にコンロ本体を囲むフードと、このフードを介してコンロ本体からの煙を匡体内に集め、且つ、脱臭して排気する集煙及び脱臭装置を前記匡体に取付けたことを特徴とするバーベキューコンロ。
【請求項２】
匡体と、その匡体上に配置された左右のスクリーンと、これらのスクリーン間に配置され、且つ、フードを備えたコンロ本体と、このコンロ本体のフードに一端が接続され、他端が前記匡体に設けられる接続口に接続されるホースと、前記接続口の匡体内側に取付けられたファンと、前記匡体の一面に取り付けられたフィルタを備えていることを特徴とするバーベキューコンロ。
【請求項３】
前記フードは、集煙部を備え、その集煙部に前記ホースの一端が接続されていることを特徴とする請求項２に記載のバーベキューコンロ。
【請求項４】
前記フードは、コンロ本体に対して任意の角度で開閉すると共に、その開閉角度に応じて、前記ファンの風量が調整されることを特徴とする請求項２又は３に記載のバーベキューコンロ。
【請求項５】
前記ファンの風量は、その風量に対応する風速が匡体内で減速された状態で、前記フィルタを通過することを特徴とする請求項２乃至請求項４の何れかに記載のバーベキューコンロ。
【請求項６】
前記フィルタは、前記ファンにより、その取入れ空気と混合拡散されて添着された吸着剤を備えていることを特徴とする請求項２乃至請求項５の何れかに記載のバーベキューコンロ。
【請求項７】
前記匡体は、キャリアに設けられていることを特徴とする請求項２乃至請求項６の何れかに記載のバーベキューコンロ。
【発明の詳細な説明】
【技術分野】
【０００１】
本発明は、集煙機能及び脱臭機能が発揮されるバーベキューコンロ（以下、単にコンロとも称する）に関するものである。
【背景技術】
【０００２】
バーベキューは、肉、魚、野菜等（以下、食材）を野外で調理したり、その調理した料理を野外で賞味して楽しむことで、野趣性があり、娯楽性を備えている。
このようなバーベキューは、キャンプ場、河川の河原、海岸等で行われることが多く、調理の際に発生する煙、油煙等は特に問題とはならない。
【０００３】
出願人は、バーベキューでしか味わえない野趣性や娯楽性をその場所が限定されずに楽しむことができる可能性を追求すべく、バーベキューコンロの開発を目指した。
例えば、ビルやマンションの屋上、建物間の小さな遊休地でもバーベキューを楽しむことができること、
近隣の住宅が建て込んでいる庭、ベランダ等において、一般住宅でもバーベキューを楽しむことができること、
ホテルやレストラン等でも、その野趣性や娯楽性を来客者に楽しませることができること、
その他、緊急時の調理用の熱源として、災害時での避難所等でも使用できること、等である。
【０００４】
かかる課題解決には、次のような問題点の解決が必要であると共に、解決されることが望ましい。
第１に、調理の際に、雨、風、気温等の外気等の影響を受け難くすること、
第２に、調理方法として、食材を焼くだけでなく、その他の調理方法も楽しむことができるようにすること、
第３に、コンロからの油煙等の煙の発生を抑えることができ、また調理の際に油煙等が発生しても、これらを周囲に拡散させることなく、集煙でき、同時に脱臭できること、
第４に、集煙装置及び脱臭装置を備えたコンロとして、コンパクトで、移動し易く、メンテナンスが簡便であること、
第５に、集煙装置及び脱臭装置を介して、煤や臭気物質が除去された清浄な空気は、来客者等の気にならないように、穏やかに排気されること等である。
【０００５】
これらの課題の一部については、専らに室内で使用される調理台にその解決方法が示唆されている場合がある。
例えば、特許文献１には、被調理物から発生する汚染空気を捕集するフード５と、前記フードで捕集された汚染空気を吸込口３から吸込み、浄化して吹出口７ａ、７ｂから室内に排出する空気処理装置１４を備える加熱調理台が開示されている。
【０００６】
しかし、本件のコンロに関しては、室内のみならず室外で使用されることが想定されており、外気の影響が考慮されること、また室外での集煙及び脱臭を図ることが必要であり、上記のような専らに室内で使用される加熱調理台をそのままバーベキューコンロに応用することはできない。
【先行技術文献】
【特許文献】
【０００７】
【特許文献１】特開２００７−３２９１５
【発明の概要】
【発明が解決しようとする課題】
【０００８】
そこで、本願発明（本発明）は、上記各課題を可能な限り解決し、バーベキューでしか味わえない野趣性や娯楽性をその場所が限定されずに楽しむことができるバーベキューコンロを提供することを目的とする。
【課題を解決するための手段】
【０００９】
上記課題を解決するため、本発明は、コンロ本体の左右のスクリーンと、これらのスクリーンと共にコンロ本体を囲むフードと、このフードを介してコンロ本体からの煙を匡体内に集め、且つ、脱臭して排気する集煙及び脱臭装置を前記匡体に取付けたことを特徴とするバーベキューコンロとした（請求項１に記載の発明）。
【００１０】
ここで、「煙」は、調理に使用されるコンロ本体の鉄板等から立ちのぼる、煤、油煙、粒子、気体等である。
また集煙及び脱臭装置としては、少なくともフードに一端が接続され、他端が前記匡体に接続されるホースと、匡体に取付けられるファンとフィルタを備えたものである。
【００１１】
上記課題を解決するため、本発明は、匡体と、その匡体上に配置された左右のスクリーンと、これらのスクリーン間に配置され、且つ、フードを備えたコンロ本体と、このコンロ本体のフードに一端が接続され、他端が前記匡体に設けられる接続口に接続されるホースと、前記接続口の匡体内側に取付けられたファンと、前記匡体の一面に取り付けられたフィルタを備えていることを特徴とするバーベキューコンロとした（請求項２に記載の発明）。
【００１２】
上記発明において、前記フードは、集煙部を備え、その集煙部に前記ホースの一端が接続されているコンロとしてもよい（請求項３に記載の発明）。
【００１３】
上記各発明において、前記フードは、コンロ本体に対して任意の角度で開閉すると共に、その開閉角度に応じて、前記ファンの風量が調整されるコンロとしてもよい（請求項４に記載の発明）。
【００１４】
上記各発明において、前記ファンの風量は、その風量に対応する風速が匡体内で減速された状態で、前記フィルタを通過させるコンロとする（請求項５に記載の発明）。
【００１５】
上記各発明において、前記フィルタは、前記ファンによる取入れ空気と混合拡散されて添着される吸着剤を備えていることとする（請求項６に記載の発明）。
【００１６】
上記各発明において、前記匡体は、キャリアに設けられているようにしてもよい（請求項７に記載の発明）。
【発明の効果】
【００１７】
以上の発明によれば、コンロ本体の左右のスクリーンと、これらのスクリーンと共にコンロ本体を囲むフードが設けられているので、調理の際に、雨、風、気温等の外気等の影響を受け難く、また、調理方法として、食材を焼くだけでなく、その他の調理方法も楽しむことができる。
集煙及び脱臭装置により、コンロからの油煙等の煙の発生を抑えることができ、また調理の際に油煙等が発生しても、これらを周囲に拡散させることなく、集煙でき、同時に脱臭させることができる。
また、集煙装置及び脱臭装置を介して、煤や臭気物質が除去された清浄な空気は、穏やかに排気される。
さらに、匡体がキャリアに設けられているので、集煙装置及び脱臭装置を備えたコンロとして、コンパクトで、移動し易くなっている。
即ち、上記各課題が解決され、バーベキューでしか味わえない野趣性や娯楽性をその場所が限定されずに楽しむことができるバーベキューコンロを提供することができる。
【図面の簡単な説明】
【００１８】
【図１】図１は、実施例１に係るコンロの概略正面図、
【図２】図２は、同コンロの側面図、
【図３】図３は、同コンロの側面図、
【図４】図４は、同コンロの作用動作の説明図、
【図５】図５は、実施例２に係るコンロの概略正面図、
【図６】図６は、同コンロの側面図、
【図７】図７は、実施例３に係るコンロの概略正面図及びその要部を抜き出した斜視図である。
【発明を実施するための形態】
【００１９】
実施例１に係るコンロ１は、図１〜図３に示したように、キャリアＣに設けられた匡体２と、その匡体２上に設けられた左右のスクリーン３、３と、これらのスクリーン３、３間に配置され、且つ、フード４０が取付けられたコンロ本体４を備えたバーベキューコンロにおいて、このコンロ本体４のフード４０に設けられた集煙部４１、この集煙部４１に一端５０が接続され、他端５１が匡体２に設けられる接続口２０に接続されるホース５、前記接続口２０の匡体内側に取付けられたファンとしてのブロワユニット６、及び匡体２に取り付けられたフィルタ７からなる集煙及び脱臭装置を備えている。
【００２０】
前記匡体２は、前記ブロワユニット６を収容すると共に、そのブロワユニット６により煙等を導き入れる室２１を備えるもので、正面２２、左右側面２３．２４、裏面２５、平面２６及び底面２７から長方体に構成されている。
前記左側面２３には接続口２０が設けられ、前記裏面２５にはフィルタ７が取付けられ、その裏面２５にはフィルタ７の表面を室２１に臨ませる裏面側開口２５０が形成されている。
かかる前記匡体２は、例えば高さ寸法が概ね約６０ｃｍ、横幅寸法が概ね約７５ｃｍ、奥行寸法が概ね約５０ｃｍ程度に形成されている。
【００２１】
前記左右のスクリーン３、３は、コンロ本体４の両サイドから風、雨等がコンロ本体４の鉄板上に入り込まないようにするものである。
即ち、図２及び図３の破線で図示したように、フード４０がコンロ本体４に設けられている回転軸（図示せず）を中心に約４５度程度に開放されたとしても、フード４０の開放端４０ａがスクリーン３、３内に略収まるように構成されている。
従って、かかるスクリーン３、３を設けることにより、前記フード４０と協働させて、コンロ本体４の周囲の空間から、風、雨等が鉄板上に吹き込み難いように構成され、調理を行い易いものにしている。
前記スクリーン３、３は、図１に図示されているように、コンロ本体４の左右において隙間を開けて設けられ、メンテナンスの便宜が図られているが、スクリーンは上記構成に限定されるものではない。例えば、フード４０の開閉に追随させる蛇腹構成でもよい。
【００２２】
コンロ本体４には、バーナー、バーナー上の鉄板、焼網（それぞれ図示せず）が設けられ、バーナーを操作する操作盤４２が設けられている。
【００２３】
前記フード４０は、コンロ本体４の鉄板上の空間を開閉するもので、食材を焼くだけでなく、蒸す等の調理方法も楽しむことができるようにし、また上述のように、前記スクリーン３、３と共にコンロ本体４での調理作業等が、雨、風、外気の温度等の影響を受けにくくするものでもある。
さらに、このフード４０及び前記スクリーン３、３は、集煙部４１に煙等を導くためのガイドともなっており、油煙等の拡散を防いでいる。
【００２４】
前記フード４０は、概ね４５度まで回転させることができるが、その約４５度までの任意の開放角度に応じて、前記ブロワユニット６の風量を調整できるようにしてもよい。具体的にはコンロ本体側にリミッタＳＷを取付けて（図示せず）、フード４０の開放角度を機械的に検出して、前記ブロワユニット６の動作を制御する。
制御方法として、例えばフード４０の全閉時にはコンロ本体４の鉄板の熱が奪われず、且つ、集煙できるように前記ブロワユニット６の風量を抑え、２５度の開放時、４５度等の開放角度の拡大に応じて、除除に吸引する風量を増やすように制御する。
なお、前記ＳＷの取付位置は、油等の累積による障害を発生させない場所が望ましい。
フード４０のメンテナンス時は、全開させることができる。
【００２５】
前記集煙部４１は、前記フード４０の上部を切り欠いて取付けられた凸状部４１０と、この凸状部４１０に設けられた集煙口４１１（図４参照）とを備えている。
凸状部４１０は、フード４０にホース５を取り付ける場合に、そのホース５の取付を確実に、安定的に行うことができるようにし、且つ、フード４０の開閉の際のホース５のスムースな動きをサポートし、また、集煙の効率化を図るもので、略三角柱状に形成されている。
前記集煙口４１１は、前記凸状部４１０の三角柱状の裏面に形成された丸孔状のものである。
【００２６】
前記ホース５は、伸縮自在に曲げられる蛇腹状のものを使用しているがこれに限定されるものではない。また、集煙口４１１とホース５の一端５０との取付部分等の可動部位のみを伸縮自在に構成したものでもよい。
【００２７】
前記ブロワユニット６は、前記ホース５を介して、前記集煙口４１１に負圧を加えて、煙等を集煙口４１１から接続口２０を介して匡体２内に導入するもので、匡体２の左側面２３の内面において前記接続口２０に連設されている。
このブロワユニット６が作動することにより、コンロ本体４の鉄板上に空気の流路が形成され、鉄板上の空気の温度が下げられ、それにより鉄板の発熱の上昇を抑えることができる。よって鉄板等の予熱段階、鉄板等に食材を載せて調理する段階、調理中断時や終了後のカラダキの段階等の各段階で、油煙等の煙の発生を抑えることができる。
また、前記ブロワユニット６によって生成される気流が、鉄板周辺の油滓等が着火する場合に必要な熱量を奪うこととなり、火の粉火等の発生を減らすことできる。
【００２８】
フィルタ７の集煙・脱臭効果を高めるためには、吸着剤（後述）がフィルタ７に付けられていることが望ましい。そして、吸着剤による集煙・脱臭効果を維持するためには、フィルタ７に付着した煤、粒子、臭気成分等を除去し、新しい吸着剤（以下、粉体とも称する）を添着させてフィルタ７を初期状態に復帰させる必要がある。
この実施例では、吸着剤は、前記ブロワユニット６を用いてフィルタ７に添着される。
即ち、前記ブロワユニット６は、吸着剤をフィルタ７の表面に均一に添着させるもので、ホース５の他端５１を外した接続口２０から吸着剤を投入して、ブロワユニット６により、取入れ空気と吸着剤とを匡体２内で混合拡散させることで、吸着剤をフィルタ７の表面に均一に添着させることができる。
【００２９】
なお、前記匡体２には、商用電源等に接続される電源装置８が設けられており、この電源装置８を介して駆動電力がブロワユニット６に供給される。
また、前記キャリアＣには、ガスボンベＧが積載可能になっており、コンロ本体４に燃料が供給されると共に、キャスターが付けられて、集煙及び脱臭装置を備えたコンロとして、コンパクトで、移動し易い構成にされている。
【００３０】
前記吸着剤は、多孔質構造の粉体状のもので、この実施例ではチャコール粉体とゼオライト粉体の混合したものを用いる。前記フィルタ７による脱臭等の作用効果を維持するため、前記ホース５の他端５１が外された接続口２０から、適宜、前記ブロワユニット６を作動させて前記フィルタ７に添着させる。
吸着剤としてはチャコール粉体とゼオライト粉体の混合物に限定されるものではなく、一種類の粉体、複数種類による混合物等、粉体の選択、その混合の割合、粉体の種類の交換は、任意に行うことができる。
【００３１】
前記フィルタ７は、硬質のろ布をひだ状に折り込んでプリーツ状に成形したものを平面的に配置し、枠体７０に取付けたものである。
前記枠体７０は、室内側枠体７１と室外側枠体７２に分割され、それぞれその横幅が前記キャリアＣの長手方向の幅に略等しく、その縦幅が匡体２の縦幅より大きく形成され、室内側枠体７１が匡体２の裏面２５側に固定されると共に、この室内側枠体７１に対して、前記フィルタ７を収容した室外側枠体７２が開閉可能に取り付けられている。
【００３２】
前記フィルタ７により、煙を構成する煤、さらに微細な粒子はフィルタ７で遮られる（フィルタに付着される）。粒子よりさらに微細なガス（気体）状の臭気成分（分子）は、これらの分子と吸着剤の分子が相互に及ぼし合うファンデルワールス力で吸着させることができる。
【００３３】
このコンロ１においては、前記ブロワユニット６による「処理風量」を概ね１５ｍ３×ｍｉｎとし、前記フィルタ７による「ろ過精度」を概ね０．５μｍ×９０％として設計されている。
前記ブロワユニット６で生成される風量は、前記匡体２内で拡散された時点で、風速が減速され、さらに大面積の前記フィルタ７を通過して排気されることから、前記ろ過精度をさらに引上げることが可能となる。
また、前記フィルタ７により、前記ブロワユニット６で生成される風圧が分散されて、前記フィルタ７を介して清浄にされた空気は、来客者等の気にならないように、穏やかに排気されることとなる。
【００３４】
上記のように構成されたコンロ１の動作例を図４に基づいて説明する。
前記ブロワユニット６が起動されると、前記集煙口４１１及び集煙部４１０に負圧が引かれて、コンロ本体４の周囲の空気がコンロ本体４の鉄板上を通り前記集煙部４１０まで流れて、常に新鮮な空気の流路が形成される。
よって、鉄板上の空気の温度が下げられ、それにより鉄板の発熱の上昇を抑えることができ、調理の各段階で、油煙等の煙の発生を抑えることができることができる。
【００３５】
かかる状態で調理が開始されると、調理により発生する煙は、前記集煙部４１０の集煙口４１１から、ホース５、接続口２０を経て匡体２内に入り、匡体２の各面２２〜２７に当たる等して減速、拡散され、順次、枠体７０側に押し出される。
そして、煙は裏面側開口２５０（図１参照）から、室内側枠体７１の枠内に広がり、さらに室外側枠体７２のフィルタ７を通過して、排気される。
よって、調理の際に発生した油煙等は、ブロワユニット６によって匡体２内に導かれとともに、フィルタ７の表面に均一に添着した吸着剤により、効率良く集煙され、且つ、同時に脱臭されることとなる。
【００３６】
前記枠体７０の室外側枠体７２と室内側枠体７１は、例えばヒンジ結合され、通常時はフック等を用いて室内側枠体７１は室外側枠体７２に圧着されており、メンテナンス時には、前記室外側枠体７２を開ければよい。
匡体２内にたまる煤等は、前記室外側枠体７２を開けて、そこから掃除機等で吸引することができる。
前記フィルタ７に対するメンテナンスは、具体的には室外側枠体７２側から室内側枠体７１側に向けて、エアーガン等で圧縮空気を吹き付けて、フィルタ７に振動を与え、付着している粒子等を匡体内に吹き飛ばし、これを回収する。
さらに、前記フィルタ７を室外側枠体７２から取り外して、洗剤で洗浄することもできる。
その後、上述のように、前記フィルタ７に新しい吸着剤を吸着させて、初期状態に復帰させることとなる。
よって、このコンロに対するメンテナンスは、特別の技術等が要求されることなく、簡単に行うことができる。
【００３７】
この実施例では、前記枠体７の室内側枠体７１と室外側枠体７２とのヒンジ結合箇所は、匡体の下端となっているが、左右端、或いは上端でもよい。
また、この実施例のように、前記フィルタ７の配置位置は、匡体２の裏面２５に限定されるものではなく、右側面２４、正面２２、底面２７でもよい。また、一面のみに限定されるものでもなく、複数面に設けてもよい。
【００３８】
上記コンロ１の作用効果を纏めると次のようである。
（１）  前記スクリーン３、３と前記フード４０により、調理の際の風、雨等の影響が抑えられると共に、食材を焼くだけでなく、食材を蒸す等の他の調理方法も楽しむことができる。
ブロワユニット６が作動されるとフード４０を介して、煙が匡体２内に集められ、フィルタ７により、清浄な空気が生成されるので、バーベキューでしか味わえない野趣性や娯楽性をその場所が限定されずに楽しむことができる。
（２）  ブロワユニット６が作動されることで、コンロ本体４の鉄板の上には、前記フード４０の集煙口に向けて、常に新鮮な空気の流れが形成され、鉄板上方の空気の温度を下げ、さらに鉄板の発熱を抑えることができ、油煙等の煙の発生を抑えることができる。
また調理の際に油煙等が発生しても、これらを周囲に拡散させることなく、集煙できる。
さらに、前記ブロワユニット６によって生成される気流が、鉄板周辺の油滓等が着火する場合に必要な熱量を奪うこととなり、火の粉火等の発生を減らすことできる。
（３）  調理の際に発生する煙は、ブロワユニット６により匡体２内に集められ、同時にフィルタ７により脱臭される。
即ち、前記フィルタ７により、煙を構成する煤、さらに微細な粒子として存在する臭気成分は、フィルタで遮られる（フィルタに付着される）。粒子よりさらに微細なガス（気体）状の臭気成分（分子）は、分子が相互に及ぼし合うファンデルワールス力で吸着させることができる。
そして、前記ブロワユニット６で生成される風量は、前記匡体２内で拡散された時点で、その風速が減速され、前記フィルタ７から排気されることから、ろ過精度をさらに引き上げることができる。
（４）  集煙及び脱臭装置は、キャリアＣに乗せられており、コンパクトで、移動し易くなっている。
（５）  集煙及び脱臭装置を介して生成される清浄な空気は、フィルタ７から来客者等の気にならないように、穏やかに排気される。
（６）  コンロ１のメンテナンスは、匡体２内に貯まる煤等の掃除、フィルタ７の掃除であり、特別な技術を必要とするものではなく、簡単である。
特に、フィルタ７への吸着剤の添着は、接続口２０からブロワユニット６を用いて吸着剤を吹き入れることで、取入れ空気と吸着剤とを匡体２内で混合拡散させて、吸着剤をフィルタ７の表面に均一に添着させることができ、フィルタ７の性能を維持することが容易で、且つ、フィルタ７の交換は不要である。
【００３９】
次に図５及び図６に基づいて、実施例２に係るコンロ１Ａの構成例を説明する。
実施例２に係るコンロ１Ａが、上記コンロ１と異なる点は、前記フィルタ７用のカバー９を前記室外側枠体７２に設けたこと、前記ホース５に耐熱布としてのガラスクロス（図示せず）を巻き付けたこと、前記匡体２に消音材（図示せず）を設けたこと、その他、キャリアＣにガスボンベＧを載せていないことである。
【００４０】
前記カバー９は、前記室外側枠体７２から室外側に臨まされるフィルタ７を雨等から保護するもので、前記室外側枠体７２の室外面と略等しい寸法で、例えば合成樹脂で形成されている。
かかるカバー９は、前記室外側枠体７２からの排気を妨げないように、例えば、カバー９の上端が前記室外側枠体７２の室外側の上端に取り付けられている。そして、前記室外側枠体７２から室外への排気により、カバー９の左右端及び下端に隙間が形成され、その隙間から排気される。
【００４１】
前記ガラスクロスは、火傷防止用のもので、前記ホース５の一端５０から他端５１にかけて巻き付けられている。
【００４２】
前記消音材（吸音材）は、前記匡体２の室２１内に貼付されるもので、前記ブロワユニット６のモータ音を吸音するようになっている。
【００４３】
実施例２に係るコンロ１Ａの他の構成は、実施例１に係るコンロ１と略同一であり、同一の作用効果を奏する。
【００４４】
次に図７に基づいて、実施例３に係るコンロ１Ｂの構成例を説明する。
上記各コンロ１、１Ａの前記スクリーン３、３とコンロ本体４の間には、隙間（図７において「ｇ」として示すこととする）が設けられ、メンテナンスの便宜が図られているが、フード４０を開けて調理する場合、前記隙間ｇから油煙等が漏れ出てしまう場合がある。
よって実施例３に係るコンロ１Ｂでは、前記隙間ｇを埋める構成を加えている。
【００４５】
その構成例として、例えば、図７において左側矢印で示した要部斜視図のように、前記フード４０を所定角度（例えば４５度）に開けた段階で、そのフード４０の左右両端部４０ｂ、４０ｂが接近或いは当接する隙間フサギ３０、３０をスクリーン３、３側に固定している。
前記隙間フサギ３０は、前記フード４０の左右両端部４０ｂ、４０ｂの長さに略等しく形成され、且つ、前記所定角度に合わせて断面Ｌ字状の長尺材の一辺が前記スクリーン３、３に固定されている。
【００４６】
他の構成例として、例えば、図７において右側矢印で示した要部斜視図のように、前記フード４０の左右両端部４０ｂ、４０ｂに沿い、且つ、スクリーン３、３側に接するように突出する矩形状の隙間フサギ４０ｃ、４０ｃを前記左右両端部４０ｂ、４０ｂに固定している。
【００４７】
以上の構成により、前記フード４０の両端部４０ｂ、４０ｂから外側に漏れ出る油煙等が、前記隙間フサギ３０、３０又は前記隙間フサギ４０ｃ、４０ｃによってその漏出が妨げられ、前記フード４０内に集煙されることが期待される。
また、前記隙間ｇからフード４０内に雨、風等が入り込み、コンロ本体４の調理が影響を受ける場合があり得るが、前記隙間フサギ３０、４０ｃを設けることにより、雨、風等の影響を受け難くしている。
その他、前記隙間ｇを埋める構成として、コンロ本体４及びフード４０とスクリーン３、３を密着させる等の構成でもよい。
【００４８】
上記各コンロ１、１Ａにおいては、前記吸着剤としてチャコール粉体とゼオライト粉体の混合したものを用いている。前記吸着剤としては、チャコール粉体とゼオライト粉体の混合物に限定されるものではなく、一種類の粉体、複数種類による混合物等、粉体の選択、その混合の割合、粉体の種類の交換は、任意に行うことができるものとしている。
このコンロ１Ｂでは、前記吸着剤としてチャコール粉体とラジオライト粉体の混合したものを用いている。
このラジオライトは、油煙等の熱により臭気が発生することなく、脱臭等の作用効果が発揮される。
【００４９】
上記各コンロ１、１Ａの前記ホース５の素材は、メンテナンス性、耐候性、安全性等を満たす観点から選択されることが望ましく、前記コンロ１Ｂでは、素材として外力に対して強度があるスチールを選択することとしている。
【００５０】
上記各コンロ１、１Ａにおいて、前記フィルタ７は、硬質のろ布をひだ状に折り込んでプリーツ状に成形したものを平面的に配置し枠体７０に取付けたものであるが、フィルタ７の構成、その取付構成は、上記各コンロ１、１Ａの構成に限定されるものではない。
【００５１】
実施例３に係るコンロ１Ｂの他の構成は、実施例１、同２に係るコンロ１、１Ａと略同一であり、同一の作用効果を奏する。
【００５２】
本発明は以上説明した実施例に限定されるものではなく、多くの変形が本発明の技術的思想内で当分野において、通常の知識を有する者により可能である。
【符号の説明】
【００５３】
１  １Ａ  コンロ
２  匡体
２０  接続口                            ２１  室
２２  正面                              ２３．２４  左右側面
２５  裏面                              ２６  平面
２７  底面
２５０  裏面側開口
３、３  左右のスクリーン
３０、３０  隙間フサギ
４  コンロ本体
４０  フード                            ４０ａ  フードの開放端
４０ｂ、４０ｂ  左右両端部              ４０ｃ、４０ｃ  隙間フサギ
４１  集煙部                            ４２  操作盤
４１０  凸状部                          ４１１  集煙口
５  ホース
５０  一端                              ５１  他端
６  ブロワユニット
７  フィルタ
７０  枠体                              ７１  室内側枠体
７２  室外側枠体
８  電源装置
９  カバー
Ｃ  キャリア
Ｇ  ガスボンベ
ｇ  隙間
【図１】
2014054508.tif 000003
【図２】
2014054508.tif 000004
【図３】
2014054508.tif 000005
【図４】
2014054508.tif 000006
【図５】
2014054508.tif 000007
【図６】
2014054508.tif 000008
【図７】
2014054508.tif 000009